(57)【特許請求の範囲】
【請求項１】
文書中の語句に基づいて利用者の文書に対する理解評価を行うための評価情報を出力する文書処理装置であって、
利用者が理解している理解語句、又は、利用者が理解していない未理解語句の少なくともいずれか一方を評価語句として格納する語句格納手段と、
評価対象の文書中から評価語句を検出する評価語句検出手段と、
評価語句検出手段により検出された評価語句の出現度から成る評価語句に関する評価情報を作成する評価語句情報作成手段と、
作成された評価語句に関する評価情報を出力する評価語句情報出力手段と、
複数の文書に対する評価情報に基づいて所定の評価基準を満たす文書を選択する文書選択手段と、を備えることを特徴とする文書処理装置。
【請求項２】
文書中の語句に基づいて当該文書が利用者にとって新規な内容を含むかの評価を行うための評価情報を出力する文書処理装置であって、
利用者が理解している理解語句、及び、利用者が理解していない未理解語句を評価語句として格納する語句格納手段と、
評価対象の文書中から評価語句以外の未知語句を検出する未知語句検出手段と、
未知語句検出手段により検出された未知語句、又は、未知語句の出現度の少なくともいずれか一方から成る未知語句に関する評価情報を作成する未知語句情報作成手段と、
作成された未知語句に関する評価情報を出力する未知語句情報出力手段と、を備えることを特徴とする文書処理装置。
【請求項３】
請求項２に記載の文書処理装置において、
更に、複数の文書に対する評価情報としての前記未知語句の出現度に基づいて所定の評価基準を満たす文書を選択する文書選択手段を備えることを特徴とする文書処理装置。
【請求項４】
請求項１乃至請求項３のいずれか１項に記載した文書処理装置において、
更に、文書を表示し、表示した文書中の語句に対する利用者からの理解語句、又は、未理解語句の少なくともいずれか一方の指定入力を受け付ける語句理解受付手段と、
受け付けた語句に対する指定に基づいて当該文書中の語句を語句格納手段に反映させる評価語句反映手段と、を備えたことを特徴とする文書処理装置。
【請求項５】
文書中の語句に基づいて利用者の文書に対する理解評価を行うための評価情報を出力する文書処理方法であって、
文書処理装置の語句格納手段が、利用者が理解している理解語句、又は、利用者が理解していない未理解語句の少なくとのいずれか一方を評価語句として格納し、
前記文書処理装置の評価語句検出手段が、評価対象の文書中から評価語句を検出し、
前記文書処理装置の評価語句情報作成手段が、評価語句検出手段により検出された評価語句の出現度から成る評価語句に関する評価情報を作成し、
前記文書処理装置の評価語句情報出力手段が、作成された評価語句に関する評価情報を出力し、
前記文書処理装置の文書選択手段が、複数の文書に対する評価情報に基づいて所定の評価基準を満たす文書を選択することを特徴とする文書処理方法。
【請求項６】
文書中の語句に基づいて当該文書が利用者にとって新規な内容を含むかの評価を行うための評価情報を出力する文書処理方法であって、
文書処理装置の語句格納手段が、利用者が理解している理解語句、及び、利用者が理解していない未理解語句を評価語句として格納し、
前記文書処理装置の未知語句検出手段が、評価対象の文書中から評価語句以外の未知語句を検出し、
前記文書処理装置の未知語句情報作成手段が、未知語句検出手段により検出された未知語句、又は、未知語句の出現度の少なくともいずれか一方から成る未知語句に関する評価情報を作成し、
前記文書処理装置の未知語句情報出力手段が、作成された未知語句に関する評価情報を出力することを特徴とする文書処理方法。
【請求項７】
請求項６に記載の文書処理方法において、
更に、前記文書処理装置の文書選択手段が、前記未知語句情報出力手段から出力された複数の文書に対する評価情報としての前記未知語句の出現度に基づいて所定の評価基準を満たす文書を選択することを特徴とする文書処理方法。
【発明の詳細な説明】
【０００１】
【発明の属する技術分野】
本発明は、文書中の語句に基づいて利用者の文書に対する理解評価を行うための評価情報を出力する文書処理装置及び方法に関する。
【０００２】
【従来の技術】
従来より、複数の文書から所望する内容を含んだ文書を選択する文書選択技術が知られており、このような文書選択技術としては、例えば、文書に対して予め内容を表すキーワードを付与しておき、利用者から所望する内容に関するキーワードを受け付け、該当するキーワードが付与された文書を選択するキーワード検索方法や、予め文書に対してキーワードを付与せずに、利用者から所望する内容に関する任意の言葉を受け付け、文書の全文を検索することにより前記言葉を含む文書を選択する全文検索方法がある。
この文書選択技術を利用することにより、利用者が所望する内容を含む文書を選択することができる。
【０００３】
【発明が解決しようとする課題】
しかしながら、上記したキーワード検索方法及び全文検索方法によって選択された文書の中には、利用者にとって内容が難しすぎる、或いは、利用者にとって新規な内容を含んでいないといった利用者に適さない文書が含まれているといったことがある。
そして、文書が利用者に適しているか否かは、実際に、文書の一部または全てを読まなければ判断することができない。
【０００４】
これに対して、特開平８−２３５２０４号公報に記載された文書検索方法及び装置では、文書に難易度を設定するとともに、利用者に分野別毎の理解度レベルを設定し、利用者の理解度レベルに応じた難易度の文書を選択するという難易度設定による文書選択技術が記載されている。
【０００５】
しかしながら、この難易度設定による文書選択技術でも、利用者にとって新規な情報を含んでいる文書であるか否かは、実際に、文書の一部または全てを読まなければ判断することができない。
また、利用者の理解度レベルに応じた難易度の文書を選択することができる点についても、利用者の理解度レベルの変化に動的に対応できない、詳細な理解度レベルに対応が困難である、個々の利用者の知識に応じた適切な理解度レベルの設定が困難である等、利用者の理解度レベルや文書自体の難易度評価におけるレベルの設定方法が柔軟性に欠けており、利用者の理解度レベルに応じた文書が適切に選択されるとは限らない。
【０００６】
本発明は上記した従来の事情に鑑みてなされたもので、文書に対して利用者に応じた適切な理解評価を行うための評価情報を出力することができる文書処理装置及び方法を提供することを目的としている。
【０００７】
【課題を解決するための手段】
上記した目的を達成するために本発明に係る文書処理装置は、文書中の語句に基づいて利用者の文書に対する理解度評価を行うための評価情報を出力する文書処理装置であって、利用者が理解している理解語句、又は、利用者が理解していない未理解語句の少なくともいずれか一方を評価語句として格納する語句格納手段と、評価対象の文書中から評価語句を検出する評価語句検出手段と、評価語句検出手段により検出された評価語句、又は、評価語句の出現度の少なくともいずれか一方から成る評価語句に関する評価情報を作成する評価語句情報作成手段と、作成された評価語句に関する評価情報を出力する評価語句情報出力手段と、を備えることを特徴とする。
【０００８】
ここで、語句とは、単語、又は、複数の単語のまとまりでもよく、また、或る特定の品詞（例えば、名詞等）の単語、又は、複数の単語のまとまりでもよい。
また、出現度とは、文書中に出てくる回数といった意味だけでなく、文書中の語句に占める割合といった意味も含んでいる。
【０００９】
上記した文書処理装置では、評価語句検出手段が評価対象の文書中から語句格納手段に格納されている評価語句を検出し、評価語句情報作成手段が評価語句検出手段により検出された評価語句、又は、評価語句の出現度の少なくともいずれか一方から成る評価語句に関する評価情報を作成し、評価語句情報出力手段が作成された評価語句に関する評価情報を出力する。
【００１０】
したがって、文書から評価語句に関する評価情報を得ることができ、利用者にとって理解し易い文書か否かの理解評価を行うことができる。
このように、評価語句に関する評価情報から文書に対するユーザの理解を評価できるのは、文書中の理解語句と利用者の文書の内容に対する理解のし易さとの間、及び、文書中の未理解語句と利用者の文書の内容に対する理解のし辛さとの間には関係があるためである。
そして、文書中の理解語句の出現度と文書の内容に対する利用者の理解度は正の相関関係があり、文書中の未理解語句の出現度と文書の内容に対する理解度は負の相関関係がある。
すなわち、理解語句の出現度が高いほど利用者にとって文書の内容が理解し易く、未理解語句の出現度が多いほどが利用者にとって文書の内容が理解し辛いといったことが評価できる。これは、例えば、英語の文書において理解できる語句が多ければ多いほど、文書の内容が理解し易いといったことから明らかである。
【００１１】
本発明に係る文書処理装置は、文書中の語句に基づいて利用者の文書に対する理解評価を行うための評価情報を出力する文書処理装置であって、利用者が理解している理解語句、又は、利用者が理解していない未理解語句の少なくともいずれか一方を評価語句として格納する語句格納手段と、評価対象の文書中から評価語句以外の未知語句を検出する未知語句検出手段と、未知語句検出手段により検出された未知語句、又は、未知語句の出現度の少なくともいずれか一方から成る未知語句に関する評価情報を作成する未知語句情報作成手段と、作成された未知語句に関する評価情報を出力する未知語句情報出力手段と、を備えることを特徴とする。
【００１２】
上記した文書処理装置では、未知語句検出手段が評価対象の文書中から語句格納手段に格納されている評価語句以外の未知語句を検出し、未知語句情報作成手段が未知語句検出手段により検出された未知語句、又は、未知語句の出現度の少なくともいずれか一方から成る未知語句に関する評価情報を作成し、未知語句情報出力手段が作成された未知語句に関する評価情報を出力する。
【００１３】
したがって、文書から未知語句に関する評価情報を得ることができ、利用者にとって新規な内容を含んでいる文書であるか否かといった理解評価を行うことができる。
このように、未知語句に関する評価情報から文書に対するユーザの理解を評価できるのは、文書中の未知語句は、利用者が予め評価語句として扱っていなかった語句であるために、利用者にとって全く新規な語句である可能性があり、当該未知語句が含まれている文書には利用者にとって新規な内容が含まれている可能性があるためである。
そして、文書中の未知語句の出現度が高いほど、文書の内容に利用者にとって新規な内容が含まれている可能性が高くなることがいえる。
ここで、理解語句及び未理解語句を評価語句とすることが好ましく、この場合においては、未知語句が利用者にとって新規な語句である可能性が高く、したがって、当該未知語句が含まれている文書に利用者にとって新規な内容が含まれている可能性が高い。
【００１４】
また、本発明に係る文書処理装置は、更に、文書を表示し、表示した文書中の語句に対する利用者からの理解語句、又は、未理解語句の少なくともいずれか一方の指定入力を受け付ける語句理解受付手段と、受け付けた語句に対する指定に基づいて当該文書中の語句を語句格納手段に反映させる評価語句反映手段と、を備えたことを特徴とする。
【００１５】
上記した文書処理装置では、語句理解受付手段は、文書を表示し、表示した文書中の語句に対する利用者からの理解語句、又は、未理解語句の少なくともいずれか一方の指定入力を受け付け、評価語句反映手段が受け付けた語句に対する指定に基づいて当該文書中の語句を語句格納手段に反映させる。
したがって、利用者の語句に対する理解を適切に語句格納手段内の評価語句に反映させることができる。
【００１６】
【発明の実施の形態】
本発明の一実施例に係る文書処理装置を図１を参照して説明する。
この文書処理装置は、文書格納部１と、未理解語格納部２と、理解語格納部３と、指示入力部４と、文書評価部５と、文書評価出力部６と、登録情報変更部７と、を備えている。
【００１７】
文書格納部１は、例えば、データベースとして構成され、評価対象となる複数の文書を格納する。
未理解語格納部２は、利用者が自ら理解していないと判断した未理解語を格納しており、これら未理解語は利用者毎にいわゆる辞書として用意される。
理解語格納部３は、利用者が自ら理解していると判断した理解語を格納しており、これら理解語は利用者毎にいわゆる辞書として用意される。
なお、本実施例では、理解語及び未理解語としては、名詞、動詞、形容詞、形容動詞等の自立語を対象としたものとしている。
【００１８】
指示入力部４は、キーボードやマウス等といった入力装置を備えており、利用者からの評価対象の文書を特定する入力、文書を表示させる要求入力、及び、文書中の語に対する未理解語の指定入力を受け付ける。
文書評価部５は、指示入力部４によって特定された文書を文書格納部１から取得し、未理解語格納部２及び理解語格納部３に格納された理解語及び未理解語を利用して、取得した文書に対する評価情報を作成する処理を行う。
文書評価出力部６は、文書評価部５によって作成された文書の評価情報をディスプレイ等の出力装置（図示せず）に出力する。
【００１９】
登録情報変更部７は、文書格納部１に格納された文書を出力装置に表示させ、指示入力部４からユーザによる文書中の未理解語に対する指定入力を受け付け、指定に基づいて、文書中の語を未理解語格納部２及び理解語格納部３に未理解語及び理解語として反映させる処理を行う。
【００２０】
ここで、特許請求の範囲にいう語句格納手段は、上記した未理解語格納部２及び理解語格納部３によって構成され、特許請求の範囲にいう評価語句検出手段及び未知語句検出手段は、文書評価部５によって構成され、特許請求の範囲にいう評価情報出力手段及び未知語句情報作成手段は、文書評価出力部６によって構成され、特許請求の範囲にいう語句理解受付手段は、指示入力部４及び登録情報変更部７が共働することによって構成され、特許請求の範囲にいう評価語句反映手段は、登録情報変更部７によって構成される。
【００２１】
次に、上記した文書処理装置の動作を説明する。
この文書処理装置の処理には、大きく分けて、文書格納部１に格納された文書に対する評価情報を作成して表示する評価情報出力処理と、文書中の語句を理解語及び未理解語として未理解語格納部２及び理解語格納部３に反映させる登録変更処理とがある。
【００２２】
まず、文書処理装置の評価情報出力処理における動作を図２を参照して説明する。
指示入力部４がユーザによる評価対象の文書を特定する入力を受け付け、文書評価部５が入力によって特定される評価対象の文書を文書格納部１から自己のメモリ（図示せず）へ読み込み、読み込んだ文書を品詞毎の語に分解して自己のメモリ内に格納する（ステップＳ１、Ｓ２）。図４（ａ）には、図３に示す文書に対して品詞毎の語に分解した結果を示してある。なお、本実施例では個々の語をコンマで区切った形態で格納している。
【００２３】
次いで、文書評価部５は、品詞に分解された語のそれぞれに対して以下の分類処理（ステップＳ３〜Ｓ９）を行う。
この分類処理では、まず、品詞に分解された語が自立語か否かを判断する（ステップＳ３、Ｓ４）。
そして、自立語でない場合には、品詞に分解された他の語について分類処理を行う。
一方、自立語である場合には、当該語が未理解語格納部２に未理解語として格納されているか否かを判断し（ステップＳ５）、更に、理解語格納部３に理解語として格納されているか否かを判断する（ステップＳ６）。
【００２４】
この結果、未理解語として格納されている場合には、当該語を利用者が理解していないことを意味しているので、当該語を自己のメモリ内の未理解語格納領域に登録し（ステップＳ７）、理解語として格納されている場合には、当該語を利用者が理解していることを意味しているので、当該語を自己のメモリ内の理解語格納領域に登録し（ステップＳ８）、いずれにも格納されていない場合には、当該語が理解語及び未理解語として利用者に把握されていないことを意味しているので、当該語を自己のメモリ内の未知語格納領域に登録する（ステップＳ９）。なお、いずれかの格納領域に登録を終えた後には、他の語について上記した分類処理を行う。
図４（ａ）に示す各語について、上記した分類処理を行うと、例えば、未理解語格納領域は図４（ｂ）に示すようになり、理解語格納領域は図４（ｃ）に示すようになり、未知語格納領域は図４（ｄ）に示すようになる。
【００２５】
上記した分類処理が品詞に分解されたすべての語に対して行われると、文書評価部５が自己のメモリ内に格納されている理解語、未理解語、未知語のそれぞれの数をカウントし、更に、理解語、未理解語、未知語の数を合計し、理解語、未理解語、未知語それぞれの割合を算出することにより評価情報を作成し、作成した評価情報を文書評価出力部６に渡す（ステップＳ３、Ｓ１０）。
そして、評価情報を渡された文書評価出力部６は、当該評価情報を出力装置に出力する（ステップＳ１１）。なお、図５には、図３に示す文書に対する評価情報の一例を示してある。
したがって、これらの評価情報に基づいて、利用者は文書が自分にとって難しいか否か、新規な内容を含んでいるか否かといったことを文書を読まずに容易に判断することができる。
【００２６】
次に、文書処理装置の登録変更処理の動作を図３を参照して説明する。なお、本実施例では、当該変更登録処理は、上記した評価情報表示処理によって表記情報が出力された文書に対する表示要求があった場合に行われる。
文書に対する表示要求があると、登録情報変更部７が出力装置に該当する文書を表示させ、指示入力手段４が文書中の語に対する利用者からの未理解語とのマーク入力（指定入力）を受け付け、登録情報変更部７が指示入力手段４によって入力されたマークされた語を一時的に自己のメモリ中に記憶する（ステップＳ２１）。
そして、利用者によるマーク入力が終了した後に、登録情報変更部７は記憶した各語について以下の処理（ステップＳ２２〜Ｓ２６）を行う。
【００２７】
まず、記憶されている語が未理解語であるか否かを判断する（ステップＳ２３）。
この未理解語であるか否かの判断は、上記した評価情報出力処理において作成された文書評価部５内の未理解語格納領域に当該語が含まれているか否かによって迅速に判断することができる。なお、未理解語格納部２に格納されているか否かによっても判断することはできる。
【００２８】
この判断の結果、当該語が未理解語である場合には、既に未理解語として未理解語格納部２に登録されていることを意味しているので何もせずに他の語についての処理を行う。
一方、未理解語ではない場合には、理解語であるか否かを判断する（ステップＳ２４）。
この理解語であるか否かの判断は、上記した評価情報出力処理において作成された文書評価部５内の理解語格納領域に当該語が含まれているか否かによって迅速に判断することができる。なお、理解語格納部３に格納されているか否かによっても判断することはできる。
【００２９】
この結果、理解語ではない場合には、上記した評価情報出力処理において未知語として文書評価部５内の未知語格納領域に格納されていることを意味しているので、未知語格納領域から削除するとともに、当該語を未理解語格納部２に未理解語として格納し、他の語についての処理を行う（ステップＳ２５）。
一方、理解語である場合には、以前は利用者が当該語を理解していたことを意味しているものの、現在は理解していない語であるので、理解語格納部３から当該語を削除するとともに、未理解語格納部２に未理解語として格納し、他の語についての処理を行う（ステップＳ２６）。
【００３０】
上記した処理が登録情報変更部７のメモリ中に記憶されたすべての語について終了した場合には、文書評価部５の未知語格納領域に残っている未知語は、理解語であることを意味しているので、未知語格納領域に格納されている未知語を理解語格納部３に理解語として格納する（ステップＳ２２、Ｓ２７）。
【００３１】
上記した登録変更処理において、図３に示す文書を利用者が実際に読んだことによって、”抗ヒスタミン薬”という語のみが理解できず、”抗ヒスタミン薬”という語のみを未理解語としてマーク入力をした場合には、”抗ヒスタミン薬”は、未理解語格納部３に未理解語として登録されるとともに、文書評価部５の図４（ｄ）に示す未知語格納領域から削除される。そして、”抗ヒスタミン薬”以外にマーク入力された語は無いので、未知語格納領域に残った”分泌腺”が理解語格納部３に理解語として登録される。
【００３２】
このように、利用者が或る語を理解しているか否かといったことに基づいて容易に且つ適切に未理解語及び理解語として反映させることができる。
また、既に未理解語として、或いは理解語として、未理解語格納部２或いは理解語格納部３に登録されている語を重複して登録するといったことを防いでいる。
【００３３】
なお、上記した実施例では、評価情報として文書中の未知語、未理解語、理解語の個数等を出力するようにしていたが、未知語、未理解語、理解語そのものを出力するようにしても、文書の理解評価に用いることができる。
また、上記した実施例では、評価語句として未理解語及び理解語を用いていたが、いずれか一方だけを用いても文書に対する理解評価のための評価情報を得ることができる。
【００３４】
なお、上記した実施例では、利用者に指示された文書に対する評価情報を出力するようにしていたが、例えば、キーワード検索等といった検索を行う検索装置から選択された複数の文書を特定する情報を受け取って、これら文書に対する評価情報を出力するようにしてもよい。
【００３５】
また、上記した実施例では、評価情報をディスプレイ等の出力装置に出力していたが、例えば、電子ファイル、データベース等といった記憶装置に出力するようにしてもよい。
このように評価情報を電子ファイル等といった記憶装置に出力した場合においては、例えば、評価情報に基づいて、利用者の要求に応じた所定の基準（例えば、理解語の割合が８０％を超える等）を満たす文書を選択する機能を有する装置に入力させるようにしておけば、利用者自身が判断することなく、利用者に適した文書を選択することができる。
【００３６】
なお、上記した各機能手段はプロセッサが（ＲＯＭ、ＲＡＭ等に予め格納された）制御プログラムを実行することにより構成されるが、本発明ではこれら機能手段を独立したハードウエア回路として構成してもよい。
また、本発明は上記の制御プログラムをフロッピーディスクやＣＤ−ＲＯＭ等といったコンピュータが読み取り可能な記憶媒体として把握させておき、当該制御プログラムを記憶媒体から読み取ってプロセッサに実行させることにより、本発明に係る処理を実行させることもできる。
【００３７】
【発明の効果】
以上説明したように、本発明に係る文書処理装置及び方法では、利用者が理解している理解語句、又は、利用者が理解していない未理解語句の少なくともいずれか一方を評価語句として格納し、評価対象の文書中から評価語句を検出し、検出された評価語句、又は、評価語句の出現度の少なくともいずれか一方から成る評価情報を作成して出力するようにしたために、出力された評価情報に基づいて利用者にとって理解し易い文書か否かの理解評価を行うことができる。
【００３８】
また、本発明に係る文書処理装置及び方法では、利用者が理解している理解語句、又は、利用者が理解していない未理解語句の少なくともいずれか一方を評価語句として格納し、評価対象の文書中から評価語句以外の未知語句を検出し、検出された未知語句、又は、未知語句の出現度の少なくともいずれか一方から成る評価情報を作成して出力するようにしたために、出力された評価情報に基づいて利用者にとって新規な内容を含んでいる文書であるか否かといった理解評価を行うことができる。
【００３９】
更に、本発明に係る文書処理装置では、文書を表示し、表示した文書中の語句に対する利用者からの理解語句、又は、未理解語句の少なくともいずれか一方の指定入力を受け付け、受け付けた語句に対する指定に基づいて当該文書中の語句を理解語句又は未理解語句として反映させるようにしたために、利用者の語句に対する理解を適切に反映させることができる。
【図面の簡単な説明】
【図１】本発明の一実施例に係る文書処理装置の構成図である。
【図２】本発明の一実施例に係る評価情報出力処理を説明するフローチャートである。
【図３】本発明の一実施例に係る文書の一例である。
【図４】本発明の一実施例に係る評価情報出力処理における文書評価部内のメモリの内容を説明する図である。
【図５】本発明の一実施例に係る評価情報の出力結果である。
【図６】本発明の一実施例に係る登録変更処理を説明するフローチャートである。
【符号の説明】
１・・文書格納部、
２・・未理解語格納部、
３・・理解語格納部、
４・・指示入力部、
５・・文書評価部、
６・・文書評価出力部、
７・・登録情報変更部。
【図１】
0003629905.tif 000002
【図２】
0003629905.tif 000003
【図３】
0003629905.tif 000004
【図４】
0003629905.tif 000005
【図５】
0003629905.tif 000006
【図６】
0003629905.tif 000007